(57)【要約】【課題】少ない部材を用いて、組み立てや取り扱いが容易な複数段から成る金属線ぴ等の電線収納体を提供する。【解決手段】断面略コ字型の複数の直線状の金属線ぴ本体１ａ、２ａを、各開口部が上下に向くように上下に重ね合わせ、夫々の開口部を塞ぐカバー１ｂ、２ｂを夫々取り付け、これらの複数の金属線ぴ本体１ａ、２ａ及び各カバー１ｂ、２ｂごと、略コ字型のカバーバンド３を着脱自在に掛け、当該カバーバンド３は前記金属線ぴ本体１ａ、２ａの長手方向に間隔を空けて複数設け、複数段の金属線ぴを一体に固定した。【選択図】      図１
2014158338.tif 000002
【特許請求の範囲】
【請求項１】
電線を収納する電線収納体で、断面略Ｈ鋼型の直線状の電線収納体本体であって、上下に向いた夫々の各開口部をカバーによって夫々塞ぐことができ、当該上下２段から成る電線収納体相互の長手方向の接続は、隣接する電線収納体の上下段いずれか一方の電線収納体本体の端部内部に、断面コ字型の直線状カップリングを渡して重ね、各隣接する電線収納体に前記カップリングを固定したことを特徴とする、上下２段から成る電線収納体。
【請求項２】
断面略コ字型の２個の直線状電線収納体本体を、各開口部が上下に向くように、上下に重ね合わせて、断面略Ｈ鋼型の直線状の電線収納体本体を成すことを特徴とする、請求項１に記載の上下２段から成る電線収納体。
【請求項３】
前記電線収納体本体及び上下に向いた夫々の各開口部を塞ぐ各カバーを、略コ字型のカバーバンドを着脱自在に掛け、当該カバーバンドは前記電線収納体本体の長手方向に間隔を空けて複数個設けて電線収納体を一体に固定可能とすることを特徴とする、請求項１又は２に記載の上下２段から成る電線収納体。
【請求項４】
前記直線状電線収納体本体の上部にカバーを取り付けないことを特徴とする、請求項１又は２に記載の上下２段から成る電線収納体。
【請求項５】
前記上下２段からなる直線状の電線収納体相互の水平方向の方向変換を伴う接続は、各電線収納体本体端部がカップリングを介してつながる構成であり、
接続された各電線収納体本体端部、及び、カップリングには、着脱自在な底板及びカバー部を被せ、当該電線収納体の各段の空間は、夫々、前記カップリングと底板又はカバー部による閉空間を介してつながる構成としたことを特徴とする、請求項１又は２に記載の上下２段から成る電線収納体。
【請求項６】
前記水平方向の変換であって、水平直角方向への変換を伴う接続は、前記上下２段から成る電線収納体の一段の電線収納体本体の高さとほぼ同じ高さの略箱型のカップリングの直角方向の各側面に穿った開口の周囲から夫々断面コ字型のガイド腕を突出し、当該各ガイド腕を、前記各上下２段から成る電線収納体の各一段の電線収納体本体端部内に夫々嵌め入れ、当該各一段の電線収納体本体内は前記カップリングを介してつながり、各他段の電線収納体本体端部に、断面コ字型から成るＬ型カバーの両端を被せ、当該各他段の電線収納体本体内は前記各カバーを介してつながる構成としたことを特徴とする、請求項５に記載の上下２段から成る電線収納体。
【請求項７】
前記水平方向の変換であって、水平直進及び直角方向への変換を伴う接続は、前記上下２段から成る電線収納体の一段の電線収納体本体の高さとほぼ同じ高さの略箱型のカップリングの直進方向及び当該直進方向に対する直角方向の各側面に穿った開口の周囲から夫々断面コ字型のガイド腕を突出し、当該各ガイド腕を、前記各上下２段から成る電線収納体の各一段の電線収納体本体端部内に夫々嵌め入れ、当該各一段の電線収納体本体内は前記カップリングを介してつながり、各他段の電線収納体本体端部に、断面コ字型から成るＴ型カバーの３つの各端部を被せ、当該各他段の電線収納体内は前記Ｔ型カバーを介してつながる構成としたことを特徴とする、請求項５に記載の上下２段から成る電線収納体。
【請求項８】
前記水平方向の変換であって、水平十文字方向への変換を伴う接続は、前記上下２段から成る電線収納体の一段の電線収納体本体の高さとほぼ同じ高さの略箱型のカップリングの相互に直角な４つの各側面に穿った開口の周囲から夫々断面コ字型のガイド腕を突出し、当該各ガイド腕を、前記各上下２段から成る電線収納体の各一段の電線収納体本体端部内に夫々嵌め入れ、当該各一段の電線収納体本体内は前記カップリングを介してつながり、各他段の電線収納体本体端部に、断面コ字型から成る十文字型カバーの４つの各端部を被せ、当該各他段の電線収納体本体内は前記十文字型カバーを介してつながる構成としたことを特徴とする、請求項５に記載の上下２段から成る電線収納体。
【請求項９】
前記上下２段からなる直線状の電線収納体相互の水平方向の方向変換を伴う接続は、各電線収納体本体端部がジャンクションボックスを介してつながる構成であり、
前記ジャンクションボックス内に前記電線収納体の上段の高さに合わせた略水平なセパレータ板を設け、接続された各電線収納体本体端部、及び、ジャンクションボックスには、着脱自在な底板及びカバー部を被せ、当該電線収納体の各段の空間は、夫々、前記ジャンクションボックスとセパレータ板と底板又はカバー部による仕切られた空間を介してつながる構成としたことを特徴とする、請求項１又は２に記載の上下２段から成る電線収納体。
【請求項１０】
前記水平方向の変換であって、水平直角方向への変換を伴う接続は、前記上下２段から成る電線収納体の高さを有する略箱型のジャックションボックスの相互に直角方向の各側面下部に穿った開口の周囲から夫々断面コ字型のガイド腕を突出し、当該各ガイド腕を、前記各上下２段から成る電線収納体の各下段の電線収納体本体端部内に夫々嵌め入れ、各上段の電線収納体本体端部の端面に対面する、前記ジャックションボックスの側面を開口し、前記ジャックションボックス内に、前記２段から成る電線収納体の上段の電線収納体本体の位置に合わせて、略水平なセパレータ板を設け、前記上下各段の電線収納体本体内は、各段ごとに前記ジャンクションボックスを介して相互につながる構成としたことを特徴とする、請求項９に記載の上下２段から成る電線収納体。
【請求項１１】
前記水平方向の変換であって、水平直進及び直角方向への変換を伴う接続は、前記上下２段から成る電線収納体の高さを有する略箱型のジャックションボックスの直進方向及び当該直進方向に対する直角方向の各側面下部に穿った開口の周囲から夫々断面コ字型のガイド腕を突出し、当該各ガイド腕を、前記各上下２段から成る電線収納体の各下段の電線収納体本体端部内に夫々嵌め入れ、各上段の電線収納体本体端部の端面に対面する、前記ジャックションボックスの側面を開口し、前記ジャックションボックス内に、前記２段から成る電線収納体の上段の電線収納体本体の位置に合わせて、略水平なセパレータ板を設け、前記上下の各段の電線収納体本体内は、各段ごとに前記ジャンクションボックスを介して相互につながる構成としたことを特徴とする、請求項９に記載の上下２段から成る電線収納体。
【請求項１２】
前記水平方向の変換であって、水平十文字方向の方向変換を伴う接続は、前記上下２段から成る電線収納体の高さを有する略箱型のジャックションボックスの十文字方向の各側面下部に穿った開口の周囲から夫々断面コ字型のガイド腕を突出し、当該各ガイド腕を、前記各上下２段から成る電線収納体の各下段の電線収納体本体端部内に夫々嵌め入れ、各上段の電線収納体本体端部の端面に対面する、前記ジャックションボックスの側面を開口し、前記ジャックションボックス内に、前記２段から成る電線収納体の上段の電線収納体本体の位置に合わせて、略水平なセパレータ板を設け、前記上下の各段の電線収納体本体内は、各段ごとに前記ジャンクションボックスを介して相互につながる構成としたことを特徴とする、請求項９に記載の上下２段から成る電線収納体。
【請求項１３】
前記上下２段から成る直線状の電線収納体相互の水平方向から垂直方向へ立ち下がる方向変換を伴う接続は、各電線収納体本体端部がカップリングを介してつながる構成であり、
略鉤筒型のカップリングの方向の異なる側面の開口の周囲から夫々断面コ字型のガイド腕を突出し、当該各ガイド腕を、前記各２段から成る電線収納体の各一方の電線収納体本体端部内に夫々嵌め入れ、当該各一方の電線収納体本体内は前記カップリングを介してつながり、各他方の電線収納体本体端部に、断面コ字型から成るＬ型カバーの両端を被せ、当該各他方の電線収納体本体内は前記Ｌ型カバーを介してつながる構成としたことを特徴とする、請求項１又は２に記載の上下２段から成る電線収納体。
【請求項１４】
前記上下２段からなる直線状の電線収納体相互の水平方向から垂直方向へ立ち上がる方向変換を伴う接続は、各電線収納体本体端部がカップリングを介してつながる構成であり、
略鉤筒型のカップリングの方向の異なる側面の開口の周囲から夫々断面コ字型のガイド腕を突出し、当該各ガイド腕を、前記各２段から成る電線収納体の各一方の電線収納体本体端部内に夫々嵌め入れ、当該各一方の電線収納体本体内は前記カップリングを介してつながり、各他方の電線収納体本体端部に、断面コ字型から成るＬ型カバーの両端を被せ、当該各他方の電線収納体本体内は前記Ｌ型カバーを介してつながる構成としたことを特徴とする、請求項１又は２に記載の上下２段から成る電線収納体。
【請求項１５】
請求項１〜１４のいずれかに記載された構成の一つないし複数の電線収納体の組み合わせ及び当該電線収納体の組み立てにより電線収納体を作成し、布設することを特徴とする、用途に応じた各種の配線が収納できる上下段２段から成る電線収納体の作成及び布設工法。
【請求項１６】
請求項１〜１４のいずれかに記載された構成の一つないし複数の電線収納体の組み合わせ及び当該電線収納体の組み立てにより作成した電線収納体を布設し、用途に応じた各種の配線を当該電線収納体の上下段に分けて収納することを特徴とする、上下２段から成る電線収納体を用いた電線・ケーブルの布設工法。
【請求項１７】
請求項１〜１４のいずれかに記載された構成の一つないし複数の電線収納体の組み合わせ及び当該電線収納体の組み立てにより作成した電線収納体を布設し、各種配線の初期収納や改修・増設の必要時期に応じて、上下段夫々異なった時期に、又は同時期に、初期収納や改修・増設工事を行うことを特徴とする、上下２段から成る電線収納体を用いた電線・ケーブルの布設工法。
【発明の詳細な説明】
【技術分野】
【０００１】
この発明は、工場や駐車場等の屋内配線において、金属製の樋型本体内にケーブルや電線を入れ、この本体の開口部にカバーを取り付けた電線収納体及び当該電線収納体を用いた電源線及び通信線等の電線・ケーブルの布設工法に関するものである。
【背景技術】
【０００２】
図２１に示すように、従来、天井下に略水平に配置した直線状の金属線ぴ５１をジャンクションボックス５２等で接続し、当該ジャックションボックス５２において金属線ぴ５１内に収納した電線やケーブルの方向転換をしている。これらの部材は、天井に沿って水平に配置された鋼材５３から吊り下げられた吊り金具５４に支持され、金属線ぴ５１の下面等の適所に照明器具５５が取り付けられている（特許文献１）。
【０００３】
最近はこの様な駐車場等において、これらの照明などへの電源用の配線（以下電源線という）に加え、警報用、監視用の機器の増加に伴い通信用や制御用の配線（以下弱電線という）が必要になっている。そこで、図２２に示すように、照明用の配線のための金属線ぴ５１とは別に、火災報知器やスピーカー用の弱電線の配管５６を前記吊り金具５４を利用して、金属線ぴ５１の上方に固定している。
【先行技術文献】
【特許文献】
【０００４】
【特許文献１】特公平６−１８４５４公報
【発明の開示】
【発明が解決しようとする課題】
【０００５】
しかしながら、図２２に示すように、複数段に金属線ぴ５１や配管５６を布設すると、施工が二重になり、費用が掛かると共に、天井に金属線ぴ５１や配管５６が錯綜し、これらの改修・増設の際も、目的の金属線ぴ５１や配管５６に近づきにくく、修理等の作業性も悪くなる。また、最近は仕上天井のない、躯体のままの建物が多く出現し、金属線ぴや配管が天井部にむき出しになっているケースが多く見受けられる。このような箇所で前記金属線ぴや配管を後からつぎ足していくと、これらが錯綜し、美観を損なうおそれがある。
【０００６】
この発明は、この従来技術を踏まえて、少ない部材を用いて、組み立てや取り扱いが容易な複数段から成る電線収納体を提供すると共に当該電線収納体を用いた電線・ケーブルの布設工法を提供することを目的としたものである。また、電線収納体を２段構成としたことにより、配線の種類毎に別々に電線収納体や複数の配管を施工する冗長作業を回避し、また、配線の必要時期に応じて、初期収納や改修・増設が容易にできることを目的としたものである。
【課題を解決するための手段】
【０００７】
請求項１の発明は、電線を収納する金属線ぴ及び金属ダクト等の電線収納体で、断面略Ｈ鋼型の直線状の電線収納体本体であって、上下に向いた夫々の各開口部をカバーによって夫々塞ぐことができ、当該上下２段から成る電線収納体相互の長手方向の接続は、隣接する電線収納体の上下段いずれか一方の電線収納体本体の端部内部に、断面コ字型の直線状カップリングを渡して重ね、各隣接する電線収納体に前記カップリングを固定した、上下２段から成る電線収納体とした。
【０００８】
また、請求項２の発明は、断面略コ字型の２個の直線状電線収納体本体を、各開口部が上下に向くように、上下に重ね合わせて、断面略Ｈ鋼型の直線状の電線収納体本体を成す構成とした、請求項１に記載の上下２段から成る電線収納体とした。
【０００９】
請求項３の発明は、前記電線収納体本体及び上下に向いた夫々の各開口部を塞ぐ各カバーを、略コ字型のカバーバンドを着脱自在に掛け、当該カバーバンドは前記電線収納体本体の長手方向に間隔を空けて複数個設けて電線収納体を一体に固定可能とした、請求項１又は２に記載の上下２段から成る電線収納体とした。
【００１０】
請求項４の発明は、前記直線状電線収納体本体の上部にカバーを取り付けない、請求項１又は２に記載の上下２段から成る電線収納体とした。
【００１１】
また、請求項５の発明は、前記上下２段からなる直線状の電線収納体相互の水平方向の方向変換を伴う接続は、各電線収納体本体端部がカップリングを介してつながる構成であり、接続された各電線収納体本体端部、及び、カップリングには、着脱自在な底板及びカバー部を被せ、当該電線収納体の各段の空間は、夫々、前記カップリングと底板又はカバー部による閉空間を介してつながる構成とした、請求項１又は２に記載の上下２段から成る電線収納体とした。
【００１２】
また、請求項６の発明は、前記水平方向の変換であって、水平直角方向（Ｌ型）への変換を伴う接続は、前記上下２段から成る電線収納体の一段の電線収納体本体の高さとほぼ同じ高さの略箱型のカップリングの直角方向の各側面に穿った開口の周囲から夫々断面コ字型のガイド腕を突出し、当該各ガイド腕を、前記各上下２段から成る電線収納体の各一段の電線収納体本体端部内に夫々嵌め入れ、当該各一段の電線収納体本体内は前記カップリングを介してつながり、各他段の電線収納体本体端部に、断面コ字型から成るＬ型カバーの両端を被せ、当該各他段の電線収納体本体内は前記各カバーを介してつながる構成とした、請求項５に記載の上下２段から成る電線収納体とした。
【００１３】
また、請求項７の発明は、前記水平方向の変換であって、水平直進及び直角方向（Ｔ型）への変換を伴う接続は、前記上下２段から成る電線収納体の一段の電線収納体本体の高さとほぼ同じ高さの略箱型のカップリングの直進方向及び当該直進方向に対する直角方向の各側面に穿った開口の周囲から夫々断面コ字型のガイド腕を突出し、当該各ガイド腕を、前記各上下２段から成る電線収納体の各一段の電線収納体本体端部内に夫々嵌め入れ、当該各一段の電線収納体本体内は前記カップリングを介してつながり、各他段の電線収納体本体端部に、断面コ字型から成るＴ型カバーの３つの各端部を被せ、当該各他段の電線収納体内は前記Ｔ型カバーを介してつながる構成とした、請求項５に記載の上下２段から成る電線収納体とした。
【００１４】
また、請求項８の発明は、前記水平方向の変換であって、水平十文字方向（十文字型）への変換を伴う接続は、前記上下２段から成る電線収納体の一段の電線収納体本体の高さとほぼ同じ高さの略箱型のカップリングの相互に直角な４つの各側面に穿った開口の周囲から夫々断面コ字型のガイド腕を突出し、当該各ガイド腕を、前記各上下２段から成る電線収納体の各一段の電線収納体本体端部内に夫々嵌め入れ、当該各一段の電線収納体本体内は前記カップリングを介してつながり、各他段の電線収納体本体端部に、断面コ字型から成る十文字型カバーの４つの各端部を被せ、当該各他段の電線収納体本体内は前記十文字型カバーを介してつながる構成とした、請求項５に記載の上下２段から成る電線収納体とした。
【００１５】
また、請求項９の発明は、前記上下２段からなる直線状の電線収納体相互の水平方向の方向変換を伴う接続は、各電線収納体本体端部がジャンクションボックスを介してつながる構成であり、前記ジャンクションボックス内に前記電線収納体の上段の高さに合わせた略水平なセパレータ板を設け、接続された各電線収納体本体端部、及び、ジャンクションボックスには、着脱自在な底板及びカバー部を被せ、当該電線収納体の各段の空間は、夫々、前記ジャンクションボックスとセパレータ板と底板又はカバー部による仕切られた空間を介してつながる構成とした、請求項１又は２に記載の上下２段から成る電線収納体とした。
【００１６】
また、請求項１０の発明は、前記水平方向の変換であって、水平直角方向（Ｌ型）への変換を伴う接続は、前記上下２段から成る電線収納体の高さを有する略箱型のジャックションボックスの相互に直角方向の各側面下部に穿った開口の周囲から夫々断面コ字型のガイド腕を突出し、当該各ガイド腕を、前記各上下２段から成る電線収納体の各下段の電線収納体本体端部内に夫々嵌め入れ、各上段の電線収納体本体端部の端面に対面する、前記ジャックションボックスの側面を開口し、前記ジャックションボックス内に、前記２段から成る電線収納体の上段の電線収納体本体の位置に合わせて、略水平なセパレータ板を設け、前記上下各段の電線収納体本体内は、各段ごとに前記ジャンクションボックスを介して相互につながる構成とした、請求項９に記載の上下２段から成る電線収納体とした。
【００１７】
また、請求項１１の発明は、前記水平方向の変換であって、水平直進及び直角方向（Ｔ型）への変換を伴う接続は、前記上下２段から成る電線収納体の高さを有する略箱型のジャックションボックスの直進方向及び当該直進方向に対する直角方向の各側面下部に穿った開口の周囲から夫々断面コ字型のガイド腕を突出し、当該各ガイド腕を、前記各上下２段から成る電線収納体の各下段の電線収納体本体端部内に夫々嵌め入れ、各上段の電線収納体本体端部の端面に対面する、前記ジャックションボックスの側面を開口し、前記ジャックションボックス内に、前記２段から成る電線収納体の上段の電線収納体本体の位置に合わせて、略水平なセパレータ板を設け、前記上下の各段の電線収納体本体内は、各段ごとに前記ジャンクションボックスを介して相互につながる構成とした、請求項９に記載の上下２段から成る電線収納体とした。
【００１８】
また、請求項１２の発明は、前記水平方向の変換であって、水平十文字方向（十文字型）の方向変換を伴う接続は、前記上下２段から成る電線収納体の高さを有する略箱型のジャックションボックスの十文字方向の各側面下部に穿った開口の周囲から夫々断面コ字型のガイド腕を突出し、当該各ガイド腕を、前記各上下２段から成る電線収納体の各下段の電線収納体本体端部内に夫々嵌め入れ、各上段の電線収納体本体端部の端面に対面する、前記ジャックションボックスの側面を開口し、前記ジャックションボックス内に、前記２段から成る電線収納体の上段の電線収納体本体の位置に合わせて、略水平なセパレータ板を設け、前記上下の各段の電線収納体本体内は、各段ごとに前記ジャンクションボックスを介して相互につながる構成とした、請求項９に記載の上下２段から成る電線収納体とした。
【００１９】
また、請求項１３の発明は、前記上下２段から成る直線状の電線収納体相互の水平方向から垂直方向へ立ち下がる方向変換を伴う接続は、各電線収納体本体端部がカップリングを介してつながる構成であり、略鉤筒型のカップリングの方向の異なる側面の開口の周囲から夫々断面コ字型のガイド腕を突出し、当該各ガイド腕を、前記各２段から成る電線収納体の各一方の電線収納体本体端部内に夫々嵌め入れ、当該各一方の電線収納体本体内は前記カップリングを介してつながり、各他方の電線収納体本体端部に、断面コ字型から成るＬ型カバーの両端を被せ、当該各他方の電線収納体本体内は前記Ｌ型カバーを介してつながる構成とした、請求項１又は２に記載の上下２段から成る電線収納体とした。
【００２０】
また、請求項１４の発明は、前記上下２段からなる直線状の電線収納体相互の水平方向から垂直方向へ立ち上がる方向変換を伴う接続は、各電線収納体本体端部がカップリングを介してつながる構成であり、略鉤筒型のカップリングの方向の異なる側面の開口の周囲から夫々断面コ字型のガイド腕を突出し、当該各ガイド腕を、前記各２段から成る電線収納体の各一方の電線収納体本体端部内に夫々嵌め入れ、当該各一方の電線収納体本体内は前記カップリングを介してつながり、各他方の電線収納体本体端部に、断面コ字型から成るＬ型カバーの両端を被せ、当該各他方の電線収納体本体内は前記Ｌ型カバーを介してつながる構成とした、請求項１又は２に記載の上下２段から成る電線収納体とした。
【００２１】
また、請求項１５の発明は、請求項１〜１４のいずれかに記載された構成の一つないし複数の電線収納体の組み合わせ及び当該電線収納体の組み立てにより電線収納体を作成し、布設する、用途に応じた各種の配線が収納できる上下段２段から成る電線収納体の作成及び布設工法とした。
【００２２】
また、請求項１６の発明は、請求項１〜１４のいずれかに記載された構成の一つないし複数の電線収納体の組み合わせ及び当該電線収納体の組み立てにより作成した電線収納体を布設し、用途に応じた各種の配線を当該電線収納体の上下段に分けて収納する、上下２段から成る電線収納体を用いた電線・ケーブルの布設工法とした。
【００２３】
請求項１７の発明は、請求項１〜１４のいずれかに記載された構成の一つないし複数の電線収納体の組み合わせ及び当該電線収納体の組み立てにより作成した電線収納体を布設し、各種配線の初期収納や改修・増設の必要時期に応じて、上下段夫々異なった時期に、又は同時期に、初期収納や改修・増設工事を行う、上下２段から成る電線収納体を用いた電線・ケーブルの布設工法とした。
【発明の効果】
【００２４】
請求項１〜４の発明によれば、開口部が上下に向いた断面略Ｈ鋼型の電線収納体を用いて、上下２段の電線収納体としているため、各段毎に、弱電用、電源用等の電線やケーブルを種類ごとに分けて収納することができる。従って、設備を設けた後に電線やケーブルを追加する際も、新たに電線収納体を架設することなく、空いている段の電線収納体を用いればよい。
【００２５】
また、後から必要に応じて電線収納体や配管を別々に設ける場合は、複数の電線収納体が天井部分で錯綜する恐れがあるが、この発明の上下２段の電線収納体にしておけば、別途電線収納体や配管を設けることがなく、それぞれ必要となった配線を収納することができ、すっきりしたレイアウトを維持できる。特に、テナント、学校の教室、駐車場等の仕上天井のない構造の建物内での配線には適している。
【００２６】
また、特に、請求項２の発明によれば、既存の金属線ぴ等の電線収納体を用いて、上下２段の電線収納体を重ね合わせて予め一体にしているため、各電線収納体毎に、弱電用、電源用等の電線やケーブルを種類ごとに分けて収納することができる。しかも、既存の金属線ぴ等の電線収納体を用いて上下２段の電線収納体を一体に設けているため、組立が容易で、かつ、コストを低く抑えることが出来る。
【００２７】
また、請求項５〜８の各発明によれば、上下２段から成る電線収納体の水平方向の方向変換を伴う接続箇所においても、カップリング及びそのカバーと底部部材を用いて、容易に２段それぞれの電線収納体を接続でき、コストがかからず、組立作業の容易な接続構造とすることが出来る。
【００２８】
また、請求項９〜１２の各発明によれば、上下２段から成る電線収納体相互の水平方向の方向変換を伴う接続箇所においても、ジャックションボックス及びそのカバーと底部部材を用いて、容易に複数段それぞれの電線収納体を接続でき、コストがかからず、組立作業の容易な接続構造とすることが出来る。
【００２９】
また、請求項１３及び１４の各発明によれば、上下２段から成る電線収納体相互の垂直方向と水平方向の方向変換を伴う接続箇所においても、カップリング及そのカバーの部材を用いて、容易に上下２段それぞれの電線収納体を接続でき、コストがかからず、組立作業の容易な接続構造とすることが出来る。
【００３０】
また、請求項１５の発明によれば、請求項１から１４の電線収納体の組み合せ及び当該電線収納体の組立により電線収納体を作成することができるため、建物内の構造や必要とする配線の種類・数量等に応じた、電線収納体を布設することができる。
【００３１】
また、請求項１６の発明によれば、請求項１〜１４の電線収納体の組み合わせや組み立てにより作成した電線収納体を布設し、用途に応じた各種の配線を、例えば、上段の電線収納体には弱電線を、下段の電線収納体には電源線を収納することができ、電線の種類によって各段の電線収納体に分けて収納ができ、施工作業が容易となる。
【００３２】
また、請求項１７の発明によれば、請求項１〜１４の電線収納体の組み合わせや組み立てにより作成した電線収納体を布設し、各種配線の初期収納や、改修・増設の必要時期に応じて、上下段夫々異なった時期に、又は同時期に初期収納や改修・増設工事を行うことができる。
【図面の簡単な説明】
【００３３】
【図１】（ａ）図は、この発明の実施の形態例１の直線状の金属線ぴ（カバーバンドを使用）の斜視図であり、（ｂ）図は、直線状の金属線ぴ（カバーバンドを使用しない）の他の態様の斜視図である。
【図２】（ａ）図は、この発明の実施の形態例１の直線状の金属線ぴ（カバーバンドを使用）の正面図であり、（ｂ）図は同直線状の金属線ぴ（カバーバンドを使用しない）の他の態様の正面図である。
【図３】この発明の実施の形態例１の２つの直線状の金属線ぴを直線状に接続した正面図である。
【図４】この発明の実施の形態例１の２つの直線状の金属線ぴを直線状に接続する直線状カップリングの斜視図である。
【図５】この発明の実施の形態例１の２本の直線状の金属線ぴをＬ型カップリングでＬ型に接続する分解斜視図である。
【図６】この発明の実施の形態例１の２本の直線状の金属線ぴをＬ型カップリングでＬ型に接続し、Ｌ型カバーを被せる状態の分解斜視図である。
【図７】この発明の実施の形態例１の２本の直線状の金属線ぴをＬ型カップリングでＬ型に接続した斜視図である。
【図８】この発明の実施の形態例１の３本の直線状の金属線ぴをＴ型カップリングでＴ型に接続する分解斜視図である。
【図９】この発明の実施の形態例１の３本の直線状の金属線ぴをＴ型カップリングでＴ型に接続した斜視図である。
【図１０】この発明の実施の形態例１の２本の直線状の金属線ぴを十文字型カップリングで十文字型に接続する分解斜視図である。
【図１１】この発明の実施の形態例１の２本の直線状の金属線ぴを十文字型カップリングで十文字型に接続した斜視図である
【図１２】この発明の実施の形態例１の２本の直線状の金属線ぴをジャンクションボックスで水平Ｌ型に接続する分解斜視図である。
【図１３】この発明の実施の形態例１の２本の直線状の金属線ぴをジャンクションボックスで水平Ｌ型に接続した斜視図である。
【図１４】この発明の実施の形態例１の３本の直線状の金属線ぴをジャンクションボックスでＴ型に接続した斜視図である。
【図１５】この発明の実施の形態例１の４本の直線状の金属線ぴをジャンクションボックスで水平十文字型に接続した斜視図である。
【図１６】この発明の実施の形態例１の２本の直線状の金属線ぴをＬ型カップリングで水平方向から立ち下げ方向に接続する分解斜視図である。
【図１７】この発明の実施の形態例１の２本の直線状の金属線ぴをＬ型カップリングで水平方向から立ち下げ方向に接続した斜視図である。
【図１８】この発明の実施の形態例１の２本の直線状の金属線ぴをＬ型カップリングで水平方向から立ち上げ方向に接続する分解斜視図である。
【図１９】この発明の実施の形態例１の２本の直線状の金属線ぴをＬ型カップリングで水平方向から立ち上げ方向に接続した斜視図である。
【図２０】この発明の実施の形態例１の直線状の金属線ぴ及び各カップリング又はジャンクションボックスで接続した状態を示す斜視図である。
【図２１】従来の金属線ぴの配置を示す斜視図である。
【図２２】従来の電線又はケーブルを種類ごとに金属線ぴ又は配管を設けた斜視図である。
【発明を実施するための形態】
【００３４】
以下、この発明の実施の形態例１を図に基づいて説明する。この実施の形態例１では、この発明の直線状の電線収納体の具体例である金属線ぴについて説明する。この金属線ぴＡの構成は、図１（ａ）及び図２（ａ）に示すように、略断面コ字型の大小の金属線ぴ本体１ａ及び２ａを、各開口が上下に向くように相互に背中合わせに重ねる。そして、夫々の開口部を塞ぐカバー１ｂ及び２ｂを夫々取り付け、上下二つの金属線ぴ本体１ａ、２ａ及び各カバー１ｂ及び２ｂごと、金属製の略コ字型のカバーバンド３で着脱自在に固定する。
【００３５】
このカバーバンド３は、弾性により、各金属線ぴ本体１ａ、２ａ及びカバー１ｂ，２ｂに圧着される。また、このカバーバンド３は金属線ぴ本体１ａ及び２ａの長手方向に沿って一定間隔で複数取り付ける。この様にして、既存の二個の金属線ぴ１、２が一体に設けられ、これを前記吊り金具（図示省略）で支持するものである。
【００３６】
また、この様に２個の金属線ぴ本体１ａ及び２ａを夫々の開口部が上下に向くように重ね合わせたものに替えて、図１（ｂ）及び図２（ｂ）に示すように、最初から上方、下方に開口部が設けられた断面略Ｈ鋼型の金属線ぴＡにしても良い。また、金属線ぴ本体１ａ及び２ａの上下の各開口部付近及び各カバー１ｂ及び２ｂの端縁を相互に嵌合する構造にすると、各カバー１ａ及び１ｂは、金属線ぴ本体１ａ及び２ａの開口部に被せるだけで、相互に嵌合し、カバーバンド３を設けなくても、むやみにカバー１ｂ及び２ｂが開かない一体構造とすることもできる。
【００３７】
また、２つの直線状の金属線ぴＡを接続するには、図３に示すように、２つの直線状の金属線ぴＡを直線状に並べ、隣接する下部の各金属線ぴ本体１ａ、１ａの端部に断面コ字型の直線状カップリング１３（図４参照）を渡して重ね、各金属線ぴ本体１の端部ごとに直線状カップリング１３とネジで固定する。
【００３８】
これにより、隣接する上部の各金属線ぴ本体２は直線状カップリング１３で接続しなくても、２つの金属線ぴＡは連結される。
【００３９】
また、２個の直線状の金属線ぴＡを水平直角に折り曲げて接続するＬ型の分岐カプリングＢについて、図５〜図７に示す。
【００４０】
まず、Ｌ型の分岐カプリングＢは、一段の金属線ぴ本体１ａ又は２ａと略同じ高さの略箱型の分岐カップリング本体４の直角な側面に穿った開口の周囲から断面コ字型のガイド腕４ａを突出させた、従来から使用しているものを用いる。また、前記分岐カップリング本体４は底板４ｂを取り付け、これらを貫通するボルト、ナットで固定する（図示省略）。
【００４１】
そして、前記各ガイド腕４ａを、前記２個の直線状の金属線ぴＡの各下段の金属線ぴ本体１ａの端部内に嵌め入れる。これにより、各下段の金属線ぴ本体１ａは分岐カップリング本体４を介してつながっている。そして、図６に示すように、これらの金属線ぴＡの上段の金属線ぴ本体２ａの端部には一定長カバー２ｂがない。これらのカバー２ｂのない２個の金属線ぴ本体２ａの上に断面コ字型で中央が直角に折り曲がったＬ型カバー５を被せる。なお、カバー２ｂを各金属線ぴ本体２ａの端部まで設け、このカバー２ｂの上からＬ型カバー５を被せても良い。
【００４２】
この被せたＬ型カバー５は、２個の金属線ぴ本体２ａにその両側が支持され、前記分岐カプリング本体４の上に、空間を設けて被せられるが、当該空間は直角に位置する２個の金属線ぴ本体２ａ内の空間とつながっている。そして、当該Ｌ型カバー５の両側にも前記カバーバンド３を被せ、２段の金属線ぴ１，２と一体に固定される。
【００４３】
次に、３個の直線状の金属線ぴＡを水平直線方向及び直角方向に折り曲げて接続するＴ型の分岐カプリングＣについて、図８及び図９に示す。
【００４４】
まず、Ｔ型の分岐カプリングＣは、略変則６角形の箱型の分岐カップリング本体６の夫々直角を成す側面に開口を設け、当該各開口の周囲から断面コ字型のガイド腕６ａを三方に突出させた、従来から使用しているものを用いる。また、前記分岐カップリング本体６は底板６ｂを取り付け、これらを貫通するボルト、ナットで固定する（図示省略）。
【００４５】
そして、前記各ガイド腕６ａを、前記３個の直線状の金属線ぴＡの各下段の金属線ぴ本体１ａの端部内に嵌め入れる。これにより、各下段の金属線ぴ本体１ａは分岐カップリング本体６を介してつながっている。そして、図８に示すように、これらの各金属線ぴＡの上段の金属線ぴ本体２ａの端部には一定長カバー２ｂがない。そして、これらのカバー２ｂのない３個の金属線ぴ本体２ａの上に断面コ字型で中央から直角に突出したＴ型カバー７を被せる。なお、カバー２ｂを各金属線ぴ本体２ａの端部まで設け、このカバー２ｂの上からＴ型カバー７を被せても良い。
【００４６】
この被せたＴ型カバー７は、３個の各金属線ぴ本体２ａに３方の各端部を支持され、前記分岐カプリング本体６の上に、空間を設けて被せられるが、当該空間はＴ型に位置する３個の金属線ぴ本体２ａ内の空間とつながっている。そして、当該Ｔ型カバー７の３方にも前記カバーバンド３を被せ、２段の金属線ぴ１，２と一体に固定される。
【００４７】
次に、４個の直線状の金属線ぴＡを水平十字方向に接続する十文字型の分岐カプリングＤについて、図１０及び図１１に示す。
【００４８】
まず、十文字型の分岐カプリングＤは、略６角形の箱型の分岐カップリング本体１４の夫々直角を成す側面に開口を設け、当該各開口の周囲から断面コ字型のガイド腕１４ａを四方に突出させた、従来から使用しているものを用いる。また、前記分岐カップリング本体１４は底板１４ｂを取り付け、これらを貫通するボルト、ナットで固定する（図示省略）。
【００４９】
そして、前記各ガイド腕１４ａを、前記４個の直線状の金属線ぴＡの各下段の金属線ぴ本体１ａの端部内に嵌め入れる。これにより、各下段の金属線ぴ本体１ａは分岐カップリング本体１４を介してつながっている。そして、図１０に示すように、これらの各金属線ぴＡの上段の金属線ぴ本体２ａの端部には一定長カバー２ｂがない。そして、これらのカバー２ｂのない３個の金属線ぴ本体２ａの上に断面コ字型で４方に突出した十文字型カバー１５を被せる。なお、カバー２ｂを各金属線ぴ本体２ａの端部まで設け、このカバー２ｂの上からＴ型カバー７を被せても良い。
【００５０】
この被せた十文字型カバー１５は、３個の各金属線ぴ本体２ａに４方の各端部を支持され、前記分岐カプリング本体１４の上に、空間を設けて被せられるが、当該空間は十文字型に位置する４個の金属線ぴ本体２ａ内の空間とつながっている。そして、当該十文字型カバー１５の４方にも前記カバーバンド３を被せ、２段の金属線ぴ１、２と一体に固定される。
【００５１】
次に、２個の直線状の金属線ぴＡを水平直角に折り曲げて接続するＬ型のジャックションボックスＥについて、図１２及び図１３に示す。
【００５２】
まず、Ｌ型のジャンクションボックスＥは、底板のないボックス型の本体８の直角を成す側面下部に穿った開口の周囲から夫々断面コ字型のガイド腕８ａを突出させたものを用いる。また、この本体８は底板８ｂを取り付け、これらをボルト、ナットで固定する（図示省略）。さらに、前記ガイド腕８ａの天板と略同じ高さで、本体内部の上下を２分するセパレータ板８ｃを本体８内部に略水平に設けたものである。
【００５３】
そして、２個の各直線状の金属線ぴＡの下段の金属線ぴ本体１ａの端部内に前記各ガイド腕８ａを嵌め入れる。そして、各上下段から成る金属線ぴの各上段の金属線ぴ本体２ａの端面に対面する、前記ジャックションボックス本体８の側面を開口して使用する。これにより、直角な２個の金属線ぴＡの下段の各金属線ぴ本体１ａ内はジャンクションボックスＥの本体８の下部でつながっており、また、上段の各金属線ぴ本体２ａ内はジャンクションボックスＥの本体８の上部でつながっている。
【００５４】
また、図１４は３個の直線状の金属線ぴＡを水平直線方向及び直角方向に折り曲げて接続するＴ型のジャックションボックスＦを示す。また、図１５は４個の直線状の金属線ぴＡを十文字方向に折り曲げて接続する十文字型のジャックションボックスＧを示す。
【００５５】
これらのＴ型のジャンクションボックスＦ及び十文字型のジャンクションボックスＧの場合も、上記Ｌ型のジャンクションボックスＥの場合と同様に、各側面下部から突出したガイド腕を上下２段の直線状の金属線ぴＡの下段の金属線ぴ本体１ａの端部に挿入し、各金属線ぴＡの上段の金属線ぴ本体２ａと対向する側面上部を開口する。
【００５６】
これにより、上下各段の金属線ぴ本体１ａ及び２ａは当該ジャンクションボックスＦ、Ｇの上下部分をそれぞれ介して、Ｔ型又は十文字型に接続される。
【００５７】
次に、２個の直線状の金属線ぴＡを水平から直角に折り曲げて立ち下げ接続するＬ型の分岐カップリンＨについて、図１６及び図１７に示す。
【００５８】
Ｌ型分岐カップリングＨの鍵筒型の本体９は、図１６に示すように、側面及び底面から断面コ字型のガイド腕９ａを夫々突出しており、これらの２個のガイド腕９ａの開口部は夫々内側に向いており、これらの各ガイド腕９ａの開口部を断面Ｌ字型の鍵片カバー９ｂで被覆自在となっている。
【００５９】
そして２個の直線状の金属線ぴＡの各外側の段の金属線ぴ本体１ａ及び２ａのカバー１ａ及び２ｂを、金属線ぴ本体１ａ及び２ａの端部から一定長外した状態にし、前記本体９の各ガイド腕９ａを夫々直線状の金属線ぴＡの各内側の段の金属線ぴ本体１ａの端部に嵌め入れる。
【００６０】
その後、前記カバー１ｂのない内側の段の金属線ぴ本体１ａ箇所に前記鍵片カバー９ｂを被せ、また、前記カバー２ｂのない外側の金属線ぴ本体２ａ箇所に、断面コ字型で鍵型をなすＬ型カバー１０の両端を被せる。また、図１７に示すように、このＬ型カバー１０の両端で各金属線ぴＡ及び鍵片カバー９ｂごとカバーバンド３で固定する。なお、カバー１ｂ及び２ｂを各金属線ぴ本体１ａ及び２ａの端部まで設け、これらのカバー１ｂ及び２ｂの上から鍵片カバー９ｂ及びＬ型カバー１０を被せても良い。
【００６１】
これにより、Ｌ型カバー１０の両端は金属線ぴ本体２ａの開口部端縁に支持され、角部は本体９の角部から浮き、外側の２個の金属線ぴ本体２ａ相互はＬ型カバー１０内でつながり、また、内側の２個の金属線ぴ本体１ａ相互は、本体９内でつながっている。
【００６２】
次に、２個の直線状の金属線ぴＡを水平方向から垂直方向に立ち上げて接続するＬ型の分岐カップリンＩについて、図１８及び図１９に示す。
【００６３】
Ｌ型分岐カップリングＩの鍵筒型の本体１１は、図１８に示すように、側面及び上面から断面コ字型のガイド腕１１ａを夫々突出しており、これらの２個のガイド腕１１ａの開口部は外側に向いている。
【００６４】
そして、２個の直線状の金属線ぴＡの各内側の段の金属線ぴ本体２ａのカバー２ｂを、金属線ぴ本体２ａの端部から一定長外した状態にし、前記本体１１の各ガイド腕１１ａを夫々直線状の金属線ぴＡの各外側の段の金属線ぴ本体１ａの端部に嵌め入れる。
【００６５】
その後、前記カバー２ｂのない内側の段の金属線ぴ本体２ａ箇所に断面コ字型で鍵型をなすＬ型カバー１２の両端を被せる。また、このＬ型カバー１２の両端で各金属線ぴＡごとカバーバンド３で固定する。なお、カバー２ｂを各金属線ぴ本体２ａの端部まで設け、これらのカバー２ｂの上からＬ型カバー１２を被せても良い。
【００６６】
これにより、Ｌ型カバー１２の両端は金属線ぴ本体２ａの開口部端縁に支持され、角部は本体１１の角部から浮き、内側の２個の金属線ぴ本体２ａ相互はＬ型カバー１２内でつながり、また、外側の２個の金属線ぴ本体１ａ相互は、本体１１内でつながっている。
【００６７】
上記実施の形態例では、既存の（１段の）直線状金属線ぴ本体を上下に重ね合わせたものを利用しているため、方向変換時に必要な部材も既存のカップリングやジャンクションボックスの流用ができ、作業面、コスト面において一層有利となる。
なお、金属線ぴ本体、分岐カップリングやジャンクションボックスの形状も、上記実施の形態例に限るものではない。
【００６８】
上記の直線状の金属線ぴＡを上記分岐カップリングやジャンクションボックスを用いて接続した状態を図２０に示す。この様にこの発明の上下２段から成る金属線ぴを用いることにより、電源線と弱電線を上下段に分けて配線することが出来る。そして、当該２段から成る金属線ぴ自体に監視カメラ、スピーカ、スポットライト等を吊り下げることが出来る。
【００６９】
従って、仕上天井のない建物から成る、駐車場、学校の教室、テナントビル等の屋根の吹き抜け部分に、当該２段から成る金属線ぴを縦横に這わせても、美感上も、施工上も極めて有効である。
【００７０】
また、この様にするには、直線状の金属線ぴＡを複数個組み立て、それらを天井から水平に吊り下げ、水平Ｌ型、水平Ｔ型、水平十文字型に曲げる箇所には、各分岐カップリング又はジャンクションボックスを取り付け、また、立ち上げ、立ち下げにはそれぞれのＬ型カップリングを用いて、これら金属線ぴの組み合わせから成る構造体を布設する。
【００７１】
次に、下段の金属線ぴ本体１ａに電源線を収納し、上部の金属線ぴ本体２ａには弱電線を挿入し、直線状の金属線ぴ部にはカバー並びにカバーバンド、各カップリング又はジャンクションボックスには、底板並びにカバーを取り付ることにより各電線を被覆する。
【００７２】
金属線ぴ本体１ａに電源線を収納し、後日、空きとなっている金属線ぴ本体２ａに弱電線を収納する場合は、カップリングやジャンクションボックスの当該カバーを外すだけで簡単に収納できる。この場合、必要に応じて、金属線ぴＡのカバー２ｂも数か所外すことにより収納施工がより容易となる。また、金属線ぴ本体２ａに、後日さらに種類の異なる弱電線を収納する場合も、上記と同様に行うことができる。
【００７３】
次に、金属線ぴ本体２ａに弱電線を収納し、後日、空きとなっている金属線ぴ本体１ａに電源線を収納する場合の施工方法について説明する。
金属線ぴ１を構成する直線状金属線ぴ本体１ａやカップリング、ジャンクションボックスにカバーや底板が取り付けられていない場合は、電源線を収納後当該カバーや底板をつけ、また、カバーバンド３で固定するだけで容易に収納施工が行える。
【００７４】
また、金属線ぴ本体１を構成する直線状金属線ぴ本体１ａやカップリングにカバーや底板が取り付けられている場合は、収納箇所のカップリングやジャンクションボックスの底板を外すことにより容易に電源線を収納できる。この場合は、直線状金属線ぴ本体１ａのカバーも必要箇所だけ選択して外すことにより、作業が一層容易になる。
【００７５】
また、収納されている電源線の一部区間を新たな電源線に置き換える改修工事では、当該区間のジャンクションボックスやカップリングの底板を外し、ジャンクションボックス内で新旧を接続することが容易にできる。
なお、電源線、弱電線の初期収納や改修・増設の布設工法は、上記実施の形態例に限るものではない。
【００７６】
上記では、金属線ぴを実施の形態例としたが、電線収納を目的とした金属ダクトに対しても、本発明は同様に適用できる。
【符号の説明】
【００７７】
Ａ      直線状の金属線ぴ        Ｂ      Ｌ型の分岐カプリング
Ｃ      Ｔ型の分岐カプリング    Ｄ      十文字型の分岐カップリング
Ｅ      Ｌ型のジャックションボックス
Ｆ      Ｔ型のジャンクションボックス
Ｇ      十文字型のジャンクションボックス
Ｈ      立ち下げＬ型の分岐カップリング    
Ｉ      立ち上げＬ型の分岐カップリング
１      金属線ぴ                １ａ    金属線ぴ本体
１ｂ    カバー                  ２      金属線ぴ
２ａ    金属線ぴ本体            ２ｂ    カバー
３      カバーバンド            ４      分岐カップリング本体
４ａ    ガイド腕                ４ｂ    底板
５      Ｌ型カバー              ６      分岐カップリング本体
６ａ    ガイド腕                ６ｂ    底板
７      Ｔ型カバー              ８      ボックス型の本体
８ａ    ガイド腕                ８ｂ    底板
８ｃ    セパレータ板            ９      鍵筒型の本体
９ａ    ガイド腕                ９ｂ    鍵片カバー
１０    Ｌ型カバー              １１    鍵筒型の本体
１１ａ  ガイド腕                １２   Ｌ型カバー
１３    直線状カップリング      １４   分岐カップリング本体
１４ａ  ガイド腕                １４ｂ  底板
１５    十文字型カバー                                                        
【図１】
2014158338.tif 000003
【図２】
2014158338.tif 000004
【図３】
2014158338.tif 000005
【図４】
2014158338.tif 000006
【図５】
2014158338.tif 000007
【図６】
2014158338.tif 000008
【図７】
2014158338.tif 000009
【図８】
2014158338.tif 000010
【図９】
2014158338.tif 000011
【図１０】
2014158338.tif 000012
【図１１】
2014158338.tif 000013
【図１２】
2014158338.tif 000014
【図１３】
2014158338.tif 000015
【図１４】
2014158338.tif 000016
【図１５】
2014158338.tif 000017
【図１６】
2014158338.tif 000018
【図１７】
2014158338.tif 000019
【図１８】
2014158338.tif 000020
【図１９】
2014158338.tif 000021
【図２０】
2014158338.tif 000022
【図２１】
2014158338.tif 000023
【図２２】
2014158338.tif 000024